【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
所定のウェブページの出力要求をユーザから受け付ける複数の広告コンテンツが配信される場合に各広告コンテンツの配信比率を算出する広告コンテンツ配信比率算出システムであって、
所定の期間内に前記所定のウェブページの出力要求を任意のユーザから受け付けた回数を集計する回数集計手段と、
前記回数集計手段により集計された回数の情報に基づいて各広告コンテンツの配信比率を算出する配信比率算出手段と、
を備えたことを特徴とする広告コンテンツ配信比率算出システム。
【請求項２】
前記配信比率算出手段は、前記回数集計手段により集計された回数の情報に基づいて、各広告コンテンツを配信する比率が一定である第１の比率部分と、各広告コンテンツを配信する比率が時間の経過に伴って変化する第２の比率部分とからなる配信比率を算出することを特徴とする請求項１に記載の広告コンテンツ配信比率算出システム。
【請求項３】
前記配信比率算出手段は、各広告コンテンツの配信開始から時間が経過するにつれて第１の比率部分が小さくなるよう配信比率を算出することを特徴とする請求項２に記載の広告コンテンツ配信比率算出システム。
【請求項４】
前記配信比率算出手段は、複数の異なる長さの期間において前記所定のウェブページの出力要求を任意のユーザから受け付けた回数の情報に基づいて第２の比率部分を算出することを特徴とする請求項１、２または３に記載の広告コンテンツ配信比率算出システム。
【請求項５】
所定のウェブページの出力要求をユーザから受け付ける広告コンテンツが配信される場合に広告コンテンツの配信数を制御する広告コンテンツ配信制御システムであって、
所定の期間内に前記所定のウェブページの出力要求を任意のユーザから受け付けた回数を集計する回数集計手段と、
前記回数集計手段により集計された回数の情報に基づいて所定のウェブページの出力要求を受け付ける総数を調整するよう任意のユーザの集合内における所定の特性のユーザに対して配信する広告コンテンツの配信数を制御する配信制御手段と、
を備えたことを特徴とする広告コンテンツ配信制御システム。
【請求項６】
前記配信制御手段は、前記所定のウェブページの出力要求を受け付ける総数が最大となるよう任意のユーザの集合内における所定の特性のユーザに対して配信する広告コンテンツの配信を制御することを特徴とする請求項５に記載の広告コンテンツ配信制御システム。
【請求項７】
前記配信制御手段は、前記所定の特性のユーザの時間的変化に応じて前記配信数の制御を複数回おこなうことを特徴とする請求項５または６に記載の広告コンテンツ配信制御システム。
【請求項８】
前記回数集計手段は、任意のユーザがコンピュータに情報を入力する情報入力装置、携帯電話機、または、テレビ受像機の機能を制御するリモートコントローラを用いておこなった所定のウェブページの出力要求を受け付けた回数を集計することを特徴とする請求項５、６または７に記載の広告コンテンツ配信制御システム。
【請求項９】
前記配信制御手段は、モンテカルロ・シミュレーションにより任意のユーザによりおこなわれる前記所定のウェブページの出力要求を受け付ける総数を調整するよう任意のユーザの集合内における所定の特性のユーザに対して配信する広告コンテンツの配信数を制御することを特徴とする請求項５に記載の広告コンテンツ配信制御システム。
【請求項１０】
前記配信制御手段は、前記所定の特性のユーザがおこなう前記所定のウェブページの出力要求の時間的変化に応じて前記広告コンテンツの配信数が変化するよう配信数を制御することを特徴とする請求項５〜９のいずれか１つに記載の広告コンテンツ配信制御システム。
【請求項１１】
前記配信制御手段は、前記広告コンテンツの配信数を、前記所定の特性のユーザがおこなう前記所定のウェブページの出力要求の時間的変化に応じて変化する部分と、前記所定の特性のユーザがおこなう前記所定のウェブページの出力要求の時間的変化に応じて変化しない部分とに分けて制御することを特徴とする請求項５〜９のいずれか１つに記載の広告コンテンツ配信制御システム。
【請求項１２】
前記配信制御手段は、前記所定の特性のユーザから複数の広告コンテンツが所定のウェブページの出力要求を受け付けた回数の違いに基づいて、前記所定のウェブページの出力要求の時間的変化に応じて変化する配信数の部分を制御することを特徴とする請求項１１に記載の広告コンテンツ配信制御システム。
【請求項１３】
前記配信制御手段は、前記広告コンテンツの配信に係る日数に基づいて、前記所定のウェブページの出力要求の時間的変化に応じて変化しない配信数の部分を制御することを特徴とする請求項１１および１２に記載の広告コンテンツ配信制御システム。
【請求項１４】
前記配信制御手段は、広告コンテンツの配信コストに係る所定の条件を満足するよう広告コンテンツの配信数の制御をおこなうことを特徴とする請求項５〜１３のいずれか１つに記載の広告コンテンツ配信制御システム。
【請求項１５】
前記配信制御手段は、前記所定のウェブページの出力要求を受け付ける回数が飽和した状態であるか否かを示す情報に基づいて、前記配信数を制御することを特徴とする請求項５〜１４のいずれか１つに記載の広告コンテンツ配信制御システム。
【請求項１６】
前記配信制御手段は、各広告コンテンツの特徴に応じて広告コンテンツの配信数を制御することを特徴とする請求項５〜１５のいずれか１つに記載の広告コンテンツ配信制御システム。
【請求項１７】
前記配信制御手段は、あるものの存在をユーザに認知させる認知型広告コンテンツの配信数と、あるものの購入をユーザに促す獲得型広告コンテンツの配信数とを別個に制御することを特徴とする請求項１６に記載の広告コンテンツ配信制御システム。
【請求項１８】
前記配信制御手段は、訴求内容が同一である異なる複数の広告コンテンツに対して別個に配信数を制御することを特徴とする請求項５〜１７のいずれか１つに記載の広告コンテンツ配信制御システム。
【請求項１９】
前記配信制御手段は、重複しないユーザによりなされた所定のウェブページの出力要求の回数が最大となるよう広告コンテンツの配信数を制御することを特徴とする請求項５〜１８のいずれか１つに記載の広告コンテンツ配信制御システム。
【請求項２０】
前記配信制御手段は、前記広告コンテンツにより訴求される内容がユーザにより認知された割合である認知率が最大となるよう広告コンテンツの配信数を制御することを特徴とする請求項５〜１９のいずれか１つに記載の広告コンテンツ配信制御システム。
【請求項２１】
前記配信制御手段は、複数の広告媒体間における広告認知の相互作用に係る情報に基づいて広告コンテンツの配信数を制御することを特徴とする請求項５〜２０のいずれか１つに記載の広告コンテンツ配信制御システム。
【請求項２２】
前記配信制御手段は、広告コンテンツの配信数に係る所定の条件に基づいて配信数を制御することを特徴とする請求項５〜２１のいずれか１つに記載の広告コンテンツ配信制御システム。
【請求項２３】
前記配信制御手段は、広告コンテンツの配信期間に係る所定の条件に基づいて配信数を制御することを特徴とする請求項５〜２２のいずれか１つに記載の広告コンテンツ配信制御システム。
【請求項２４】
前記配信制御手段は、広告コンテンツの訴求対象であることが特定されるユーザに対して配信する広告コンテンツと、広告コンテンツの訴求対象であることが特定されないユーザに対して配信する広告コンテンツとで別個に配信数を制御することを特徴とする請求項５〜２３のいずれか１つに記載の広告コンテンツ配信制御システム。
【請求項２５】
前記配信制御手段は、あるものの購入をユーザに促す獲得型広告コンテンツが重複しないユーザから所定のウェブページの出力要求を受け付けた回数に基づいて広告コンテンツの配信数を制御することを特徴とする請求項５〜２４のいずれか１つに記載の広告コンテンツ配信制御システム。
【請求項２６】
前記配信制御手段は、広告コンテンツが配信された場合に、配信された広告コンテンツに対するユーザの反応に係る情報を取得し、ユーザの反応が特定の反応であった場合に、当該広告コンテンツの配信数の制御に係る設定を変更することを特徴とする請求項５〜２５のいずれか１つに記載の広告コンテンツ配信制御システム。
【請求項２７】
前記配信制御手段は、ユーザの反応が特定の反応であった場合に、当該広告コンテンツの配信を停止するよう配信数の制御に係る設定を変更することを特徴とする請求項２６に記載の広告コンテンツ配信制御システム。
【請求項２８】
前記配信制御手段は、訴求内容が異なる広告コンテンツごとに別個に配信数を制御することを特徴とする請求項５〜２７のいずれか１つに記載の広告コンテンツ配信制御システム。
【請求項２９】
前記配信制御手段は、ユーザが広告閲覧に対して否定的になる広告コンテンツの配信回数の所定の限度値に係る情報に基づいて広告コンテンツの配信数を制御することを特徴とする請求項５〜２８のいずれか１つに記載の広告コンテンツ配信制御システム。
【請求項３０】
前記配信制御手段は、広告コンテンツに対するユーザの忘却に係る情報に基づいて広告コンテンツの配信数を制御することを特徴とする請求項５〜２９のいずれか１つに記載の広告コンテンツ配信制御システム。
【請求項３１】
前記配信制御手段は、単一の広告コンテンツに対する配信数を制御することを特徴とする請求項５〜３０のいずれか１つに記載の広告コンテンツ配信制御システム。
【請求項３２】
所定のウェブページの出力要求をユーザから受け付ける複数の広告コンテンツが配信される場合に各広告コンテンツの配信比率を算出する広告コンテンツ配信比率算出プログラムであって、
所定の期間内に前記所定のウェブページの出力要求を任意のユーザから受け付けた回数を集計する回数集計手順と、
前記回数集計手順により集計された回数の情報に基づいて各広告コンテンツの配信比率を算出する配信比率算出手順と、
をコンピュータに実行させることを特徴とする広告コンテンツ配信比率算出プログラム。
【請求項３３】
所定のウェブページの出力要求をユーザから受け付ける広告コンテンツが配信される場合に広告コンテンツの配信数を制御する広告コンテンツ配信制御プログラムであって、
所定の期間内に前記所定のウェブページの出力要求を任意のユーザから受け付けた回数を集計する回数集計手順と、
前記回数集計手順により集計された回数の情報に基づいて所定のウェブページの出力要求を受け付ける総数を調整するよう任意のユーザの集合内における所定の特性のユーザに対して配信する広告コンテンツの配信数を制御する配信制御手順と、
をコンピュータに実行させることを特徴とする広告コンテンツ配信制御プログラム。
【請求項３４】
所定のウェブページの出力要求をユーザから受け付ける複数の広告コンテンツが配信される場合に各広告コンテンツの配信比率を算出する広告コンテンツ配信比率算出方法であって、
所定の期間内に前記所定のウェブページの出力要求を任意のユーザから受け付けた回数を集計する回数集計工程と、
前記回数集計工程により集計された回数の情報に基づいて各広告コンテンツの配信比率を算出する配信比率算出工程と、
を含んだことを特徴とする広告コンテンツ配信比率算出方法。
【請求項３５】
所定のウェブページの出力要求をユーザから受け付ける広告コンテンツが配信される場合に広告コンテンツの配信数を制御する広告コンテンツ配信制御方法であって、
所定の期間内に前記所定のウェブページの出力要求を任意のユーザから受け付けた回数を集計する回数集計工程と、
前記回数集計工程により集計された回数の情報に基づいて所定のウェブページの出力要求を受け付ける総数を調整するよう任意のユーザの集合内における所定の特性のユーザに対して配信する広告コンテンツの配信数を制御する配信制御工程と、
を含んだことを特徴とする広告コンテンツ配信制御方法。